(57)【要約】【課題】話題発生時の正確な時間情報を得て，時間情報毎に特徴語を提示することで，大量文書の効率的な時系列閲覧を可能とする。【解決手段】本発明は，話題語を受け取ると，話題語で文書集合を検索し話題語を含む文書を得る。続いて，予定情報や過去情報が記述された文書を排除し，残った文書の作成日などから話題発生時の時間情報を得る。同時に，文書中から人名や場所などの固有表現を得る。そして，時間情報から得た月や日を１単位とし，話題の規模を示す単位毎の文書数を得て，単位毎の出現文書数や単位毎の出現数から話題を特徴付ける固有表現とそのタイプを得る。これら文書数や固有表現・タイプを可視化し時系列表示する。【選択図】　　図１
2004086534.tif 000002
【特許請求の範囲】
【請求項１】
大量文書から得た特定の話題に関する情報を時間情報に沿って抽出し出力する固有情報抽出方法であって，
話題語を含む文書を検索する過程と，
前記文書の検索結果から話題発生時の時間情報を抽出する過程と，
前記文書の検索結果から固有表現を抽出する過程と，
話題の規模および話題を特徴付ける固有表現に関する情報を時間情報毎に生成する過程とを有する
ことを特徴とする時系列情報からの固有情報抽出方法。
【請求項２】
請求項１記載の時系列情報からの固有情報抽出方法において，
前記話題の規模および話題を特徴付ける固有表現に関する情報を可視化し時系列表示する過程を有する
ことを特徴とする時系列情報からの固有情報抽出方法。
【請求項３】
大量文書から得た特定の話題に関する情報を時間情報に沿って抽出し出力する固有情報抽出装置であって，
話題語を含む文書を検索する手段と，
前記文書の検索結果から話題発生時の時間情報を抽出する手段と，
前記文書の検索結果から固有表現を抽出する手段と，
話題の規模および話題を特徴付ける固有表現に関する情報を時間情報毎に生成する手段とを有する
ことを特徴とする時系列情報からの固有情報抽出装置。
【請求項４】
請求項３記載の時系列情報からの固有情報抽出装置において，
前記話題の規模および話題を特徴付ける固有表現に関する情報を可視化し時系列表示する手段を備える
ことを特徴とする時系列情報からの固有情報抽出装置。
【請求項５】
請求項３または請求項４記載の時系列情報からの固有情報抽出装置をコンピュータによって実現するための時系列情報からの固有情報抽出プログラム。
【請求項６】
請求項３または請求項４記載の時系列情報からの固有情報抽出装置をコンピュータによって実現するための時系列情報からの固有情報抽出プログラムを記録した記録媒体。
【発明の詳細な説明】
【０００１】
【発明の属する技術分野】
本発明は，時系列情報からの固有情報抽出方法および装置，並びに固有情報抽出プログラムおよびそのプログラムを記録した記録媒体であって，大量文書から得た特定の話題に関する情報の可視化に関するものであり，情報検索の検索結果表示などでユーザ支援に用いられる。
【０００２】
【従来の技術】
大量文書から特定の話題に関する情報を集める情報検索が盛んに行われている。大量文書から得た大量の検索結果を効率よく閲覧するために，検索結果を特徴毎に分類して提示する技術がある。
【０００３】
従来提案されてきた検索結果を分類提示する技術は，次のような手順で行われている。まず，文書中に最も多く現れる固有表現などを，その文書を特徴付ける特徴語として抽出する。さらに，同じ特徴語を持つ文書を１グループとし，特徴語毎に数個のグループを作る。ユーザは大量に提供される検索結果のうち，特定の特徴語のグループだけを閲覧すればよく，効率の良い閲覧が可能になる。
【０００４】
しかしながら従来技術では，時間情報による分類を行っていないため，検索結果を時系列で閲覧できない。仮に作成日などの時間情報で分類したとしても，予定情報や過去情報など時差を持った文書があると，正確な時系列にならず混乱を招く。また，時間の経過と共に特徴語が変化していくことから，複数の特徴語のグループを閲覧することになる。
【０００５】
【発明が解決しようとする課題】
本発明の目的は，上記従来技術の問題点を解決し，話題発生時の正確な時間情報を得て，時間情報毎に特徴語を提示することで，大量文書の効率的な時系列閲覧を可能とすることにある。
【０００６】
【課題を解決するための手段】
上記課題を解決するために，本発明は，話題語を含む文書を検索し，話題発生時の時間情報を抽出し，文書集合中の固有表現を抽出し，話題の規模や話題を特徴付ける固有表現などの情報を時間情報毎に生成し，話題の規模や固有表現を可視化して時系列表示するように構成する。
【０００７】
このように構成される本発明では，話題語を受け取ると，話題語で文書集合を検索し話題語を含む文書を得る。続いて，予定情報や過去情報が記述された文書を排除し，残った文書の作成日などから話題発生時の時間情報を得る。同時に，文書中から人名や場所などの固有表現を得る。
【０００８】
時間情報から得た月や日を１単位とし，話題の規模を示す単位毎の文書数を得て，単位毎の出現文書数や単位毎の出現数から話題を特徴付ける固有表現とそのタイプを得る。これら文書数や固有表現・タイプを可視化し時系列表示することで，大量の文書をより効率的に閲覧することが可能となる。
【０００９】
本発明を用いることにより，予定情報や過去情報が記述された文書を除くことで話題発生時のより正確な時間情報を得て，話題の規模と特徴語である固有表現を時間情報毎に提示することで，話題の集中する時期や特徴語の変化が容易に確認でき，大量文書の効率的な時系列閲覧が可能となる。
【００１０】
【発明の実施の形態】
以下，本発明の実施の形態を図を用いて説明する。図１は，本発明の固有情報抽出方法を適用した時系列ブラウジング装置の構成の一例を示す図である。図１において，時系列ブラウジング装置１は，利用者が入力した話題語を受け取る話題語入力手段１１と，話題語を含む文書を検索する関連文書検索手段１２と，話題発生時の時間情報を抽出する話題発生時間抽出手段１３と，文書集合中の固有表現を抽出する固有表現抽出手段１４と，話題の規模や話題を特徴付ける固有表現などの情報を時間情報毎に生成する時系列情報生成手段１５と，話題の規模や固有表現を可視化し時系列表示する情報可視化手段１６と，文書集合が格納される文書集合格納手段１７とを有する。
【００１１】
上記構成からなる実施形態の処理内容を図２のフローチャートを用いて説明する。まず，話題語入力手段１１は話題語を受け取ると，それを関連文書検索手段１２に渡す。関連文書検索手段１２では，話題語で文書集合格納手段１７に格納されている文書集合を検索し話題語を含む文書を得る（ステップＳ１）。そして，これらの文書を話題発生時間抽出手段１３へ渡す。話題発生時間抽出手段１３では，速報情報が記述された文書を抽出し，文書の作成日などから話題発生時の時間情報を得る（ステップＳ２）。これら時間情報と文書を固有表現抽出手段１４へ渡す。
【００１２】
固有表現抽出手段１４では，文書集合中から人名や場所などの固有表現を抽出する（ステップＳ３）。固有表現とそのタイプ（人名や場所など）および時間情報を時系列情報生成手段１５へ渡す。時系列情報生成手段１５では，時間情報から得た月や日を１単位とし，話題の規模を示す単位毎の文書数を得る。また，単位毎の出現文書数や単位毎の出現数から話題を特徴付ける固有表現とそのタイプを得る（ステップＳ４）。これら出現文書数や固有表現・タイプを情報可視化手段１６へ渡す。情報可視化手段１６では，グラフ化した文書数及びタイプ毎に分類した固有表現を可視化し時系列表示する（ステップＳ５）。
【００１３】
以上の処理は，コンピュータとソフトウェアプログラムとによって実現することができ，そのプログラムは，コンピュータが読み取り可能な可搬媒体メモリ，半導体メモリ，ハードディスク等の適当な記録媒体に格納して，そこから読み出すことによりコンピュータに実行させることができる。
【００１４】
次に，本実施形態の具体的動作について説明する。以下では，図３に示す話題語「スペースシャトル」から，図８に示す出力を得る例を説明する。本実施例では説明を容易にするため，１つの話題語を記述しているが，文書集合の検索時にＡＮＤ検索やＯＲ検索を指定することで，複数の話題語に対しても時系列ブラウジングを行うことができる。
【００１５】
話題語入力手段１１は，図３に示す話題語「スペースシャトル」を受け取り，それを関連文書検索手段１２に渡す。関連文書検索手段１２では，文書集合格納手段１７に格納されている文書の中から，話題語「スペースシャトル」を含む文書を検索し，話題発生時間抽出手段１３に渡す。本実施例では，新聞記事数年分の文書が文書集合格納手段１７に格納されている。これを検索した結果，図４の関連文書検索結果に示す話題語「スペースシャトル」を文書中に含む５文書（記事番号９２０８２８ＡＡＡ〜９４０７１４ＥＥＥ）が，関連文書として話題発生時間抽出手段１３に渡される。
【００１６】
話題発生時間抽出手段１３では，関連文書を速報記事とその他に分類し速報記事の作成日から話題発生時の時間情報を得る。速報記事とは，話題発生後すぐに書かれたもので，数日の誤差はあるが発行日を時間情報として使える記事をいう。ここでは速報記事とその他の判断基準として文書の１文目の文末表現を用いる。本実施例では，「分かった」「行った」「決定」など話題が発生してすぐに書かれたと判断できるものを速報記事として用い，「行われる」など数日から数ヶ月先の予定を書いたもの，及び「だった」「から１年」など過去の話題を取上げたものは排除する。
【００１７】
本実施例では，図４の関連文書から図５のような時間情報が得られ，図６のような速報記事が得られたとする。時間情報として作成日のみを用いているが，記事中の時間情報を用いて正式な話題発生時の時間情報に修正しても良い。これらの結果は，固有表現抽出手段１４へと渡される。
【００１８】
固有表現抽出手段１４では，単語や単語の品詞情報および固有表現抽出ルールから文書中の固有表現とそのタイプを得る。固有表現とは，周期的に現れる話題を特徴付けるキーワードであり，そのタイプには，人名，人工物名，地名，日時，組織などがある。ここで固有表現抽出ルールについては，磯崎秀樹氏が提唱するルール（固有表現抽出のための可読性の高い規則の自動生成，情報処理学会，自然言語処理研究会，２０００）などを用いることができる。
【００１９】
本実施例では，図６の文書から図７のような固有表現とそのタイプが得られたとする。これらの結果は，時系列情報生成手段１５へと渡される。時系列情報生成手段１５では，時間情報から得た年月を１単位とし，話題の規模を示す単位毎の文書数を得る。また，単位毎の出現文書数や単位毎の出現数から話題を特徴付ける固有表現とそのタイプを得る。ここでは単位毎の出現文書数が多い固有表現ほど特徴が強いとし，単位毎の出現文書数が同じ場合は単位毎の出現数が多いほど特徴が強いとする。この際，速報記事全体に平均的に現れる固有表現は特徴とならないため排除する。
【００２０】
本実施例では，図７の時間情報および固有表現の出現文書数・出現数から図８のような年月毎の文書数と固有表現・タイプが得られ，速報記事全体に現れる「米」は排除されたとする。また，出現数＝１の固有表現についても特徴とならないことから排除し，図８に示す時系列情報から図９に示すような情報が得られたとする。固有表現の排除に関する閾値は特に定めるものでなく，文書数やユーザ希望を考慮した他の値でもよい。これらの結果は，情報可視化手段１６へと渡される。情報可視化手段１６では，グラフ化した文書数及び補助情報としてタイプ毎に分類した固有表現を可視化し時系列表示する。
【００２１】
本実施例では，図９の時系列情報から図１０のような表示画面が得られたとする。グラフの種類は図１０のような縦棒のグラフである必要はなく，横棒や折れ線など他のグラフでもよい。固有表現とそのタイプについても図１０のような表示方法である必要はなく，別画面に表示するなど他の表示方法でもよい。
【００２２】
図１１は，本発明を日本語質問応答システムに適用した例であって，時系列ブラウジングによって回答候補を表示した例を示している。
【００２３】
この例から明らかなように，新聞記事が持つ時間情報に沿って，「ＡＰＥＣ首脳会議」という特定のトピックに関する情報を可視化し，ＰＥＲ（人名），ＡＲＴ（人工物名），ＬＯＣ（地名，場所），ＯＲＧ（組織），ＤＡＴ（日時）などの固有表現を用いて記事のエッセンスが提示されている。これによって，開催地と開催国および出席した各国首脳の名前等が特徴キーワードとして明示され，効率的な時系列閲覧が可能になっている。また，記事数が「＊」を用いた棒グラフによって示されている。これから，毎年１１月にピークが現れることがわかる。
【００２４】
【発明の効果】
以上説明したように本発明では，話題の規模と特徴語である固有表現を時間情報毎に提示することで，話題の集中する時期や特徴語の変化が容易に確認でき，大量文書の効率的な時系列閲覧が可能である。また，例えば予定情報や過去情報が記述された文書を除くことで話題発生時のより正確な時間情報を得ることが可能である。
【図面の簡単な説明】
【図１】本発明を適用した時系列ブラウジング装置の構成の一例を示す図である。
【図２】本発明の時系列ブラウジング処理フローの一例を示す図である。
【図３】話題語の一例を示す図である。
【図４】関連文書検索結果の一例を示す図である。
【図５】話題発生時の時間情報の一例を示す図である。
【図６】速報記事の一例を示す図である。
【図７】固有表現とタイプの一例を示す図である。
【図８】時系列情報の一例を示す図である。
【図９】時系列情報の一例を示す図である。
【図１０】時系列表示の一例を示す図である。
【図１１】日本語質問応答システムに適用した時系列ブラウジングの出力の一例を示す図である。
【符号の説明】
１　時系列ブラウジング装置
１１　話題語入力手段
１２　関連文書検索手段
１３　話題発生時間抽出手段
１４　固有表現抽出手段
１５　時系列情報生成手段
１６　情報可視化手段
１７　文書集合格納手段
【図１】
2004086534.tif 000003
【図２】
2004086534.tif 000004
【図３】
2004086534.tif 000005
【図４】
2004086534.tif 000006
【図５】
2004086534.tif 000007
【図６】
2004086534.tif 000008
【図７】
2004086534.tif 000009
【図８】
2004086534.tif 000010
【図９】
2004086534.tif 000011
【図１０】
2004086534.tif 000012
【図１１】
2004086534.tif 000013